(57)【要約】【課題】可読性を低下させずに画像を出力する。【解決手段】画像形成装置は、電子情報端末を接続する入力インターフェースと、前記電子情報端末が前記入力インターフェースへ接続されたことを検知すると、前記電子情報端末から画像データを読み込み、当該画像データの画素数と、前記電子情報端末の表示画面の解像度と、を取得する制御手段と、前記画素数と前記解像度とから算出される画像のサイズが、当該画像を印刷する出力用紙のサイズより小さい所定のサイズとなるように印刷する際の解像度と画素数を変換するデータ変換手段と、当該変換後の画像データを前記出力用紙に印刷する画像出力手段と、を備える。【選択図】      図１
2013197970.tif 000002
【特許請求の範囲】
【請求項１】
電子情報端末を接続する入力インターフェースと、
前記電子情報端末が前記入力インターフェースへ接続されたことを検知すると、前記電子情報端末から画像データを読み込み、当該画像データの画素数と、前記電子情報端末の表示画面の解像度と、を取得する制御手段と、
前記画素数と前記解像度とから算出される画像のサイズが、当該画像を印刷する出力用紙のサイズより小さい所定のサイズとなるように印刷する際の解像度と画素数を変換するデータ変換手段と、
当該変換後の画像データを前記出力用紙に印刷する画像出力手段と、
を備える画像形成装置。
【請求項２】
電子情報端末を接続する出力インターフェースと、
原稿用紙から画像データを取り込む画像読取手段と、
を更に備え、
前記制御手段は、前記電子情報端末が前記出力インターフェースに接続されたことを検知すると、当該電子情報端末から、当該電子情報端末の表示画面に表示可能な全画素数を取得し、
前記データ変換手段は、前記画像読取手段が取り込んだ前記画像データの画素数が、前記電子情報端末の表示画面の前記全画素数以下の値となるように当該画素数の値を変換し、
前記制御手段が当該変換後の画像データを前記出力インターフェースに接続された前記電子情報端末に出力する
請求項１に記載の画像形成装置。
【請求項３】
前記画像読取手段が前記原稿用紙から取り込んだ画像データから、文字列データと文字列以外のデータとを分離する像域分離手段を更に備え、
前記データ変換手段は、前記文字列データの画素数が前記出力インターフェースに接続された前記電子情報端末の表示画面の画素数よりも大きい場合に、当該文字列データのうち前記表示画面内に収まらない部分を検出し、当該部分を改行した文字列データを生成する請求項２に記載の画像形成装置。
【請求項４】
電子情報端末を接続する入力インターフェースを備える画像形成装置に、
前記電子情報端末が前記入力インターフェースへ接続されたことを検知すると、前記電子情報端末から画像データを読み込み、当該画像データの画素数と、前記電子情報端末の表示画面の解像度と、を取得する制御ステップと、
前記画素数と前記解像度とから算出される画像のサイズが、当該画像を印刷する出力用紙のサイズより小さい所定のサイズとなるように印刷する際の解像度と画素数を変換するデータ変換ステップと、
当該変換後の画像データを前記出力用紙に印刷する画像出力ステップと、を実行させる画像形成プログラム。
【請求項５】
電子情報端末を接続する出力インターフェースを備える前記画像形成装置に、
原稿用紙から画像データを取り込む画像読取ステップと、
前記電子情報端末が前記出力インターフェースに接続されたことを検知すると、当該電子情報端末から、当該電子情報端末の表示画面に表示可能な全画素数を取得する前記制御ステップと、
前記画像読取ステップにて取り込んだ前記画像データの画素数が、前記電子情報端末の表示画面の前記全画素数以下の値となるように、当該画素数の値を変換する前記データ変換ステップと、
当該変換後の画像データを前記出力インターフェースに接続された前記電子情報端末に出力するステップと、
を実行させる請求項４に記載の画像形成プログラム。
【請求項６】
前記画像読取ステップにて前記原稿用紙から取り込んだ画像データから、文字列データと文字列以外のデータとを分離する像域分離ステップと、
前記文字列データの画素数が前記出力インターフェースに接続された前記電子情報端末の表示画面の画素数よりも大きい場合に、当該文字列データのうち前記表示画面内に収まらない部分を検出し、当該部分を改行した文字列データを生成する前記データ変換ステップと、
を前記画像形成装置に実行させる請求項５に記載の画像形成プログラム。
【請求項７】
電子情報端末を接続する入力インターフェースを備える画像形成装置が、
前記電子情報端末が前記入力インターフェースへ接続されたことを検知すると、前記電子情報端末から画像データを読み込み、当該画像データの画素数と、前記電子情報端末の表示画面の解像度と、を取得し、
前記画素数と前記解像度とから算出される画像のサイズが、当該画像を印刷する出力用紙のサイズより小さい所定のサイズとなるように印刷する際の解像度と画素数を変換し、
当該変換後の画像データを前記出力用紙に印刷する画像形成方法。
【請求項８】
電子情報端末を接続する出力インターフェースを備える前記画像形成装置が、
原稿用紙から画像データを取り込み、
前記電子情報端末が前記出力インターフェースに接続されたことを検知すると、当該電子情報端末から、当該電子情報端末の表示画面に表示可能な全画素数を取得し、
取り込んだ前記画像データの画素数が、前記電子情報端末の表示画面の前記全画素数以下の値となるように、当該画素数の値を変換し、
当該変換後の画像データを前記出力インターフェースに接続された前記電子情報端末に出力する請求項７に記載の画像形成方法。
【請求項９】
前記原稿用紙から取り込んだ画像データから、文字列データと文字列以外のデータとを分離し、
前記文字列データの画素数が前記出力インターフェースに接続された前記電子情報端末の表示画面の画素数よりも大きい場合に、当該文字列データのうち前記表示画面内に収まらない部分を検出し、当該部分を改行した文字列データを生成する請求項８に記載の画像形成方法。
【発明の詳細な説明】
【技術分野】
【０００１】
本発明は画像形成装置、方法、及び、プログラムに関する。
【背景技術】
【０００２】
複合機等の画像形成装置が、パーソナルコンピュータやＰＤＡ（Personal Digital Assistant）等の電子情報端末の画像データを紙に印刷する場合、あるいは逆に、画像形成装置が、原稿用紙等から読み取った画像データを電子情報端末に出力する場合、ユーザは、紙から読み取ったデータを紙へ印刷するという、通常のコピー印刷の操作とは異なる専用の操作を行なうことが必要である。
【０００３】
例えば、電子情報端末の保持する画像データを、画像形成装置が紙に印刷する場合、画像形成装置は、電子メールや無線ＬＡＮ（Local Area Network）などのネットワークを経由して電子情報端末から画像形成装置に送信されたデータを紙に印刷している。
【０００４】
あるいは、ユーザがＵＳＢ（Universal Serial Bus）メモリなどの外部記憶媒体に電子情報端末の画像データを一旦保存しておき、当該外部記憶媒体が画像形成装置に直接接続されることで、画像形成装置が当該データを紙に印刷する場合もある。
【０００５】
また、ユーザが紙に記載された文字や図形等を電子情報端末に取り込むには、ユーザは紙に記載された文字や図形等の画像データを画像形成装置のスキャナ機能を用いて読み取り、読み取った画像データを電子メールや無線ＬＡＮなどのネットワークを経由して電子情報端末に取り込んでいる。
【０００６】
あるいは、ユーザは、スキャンした画像データをＵＳＢメモリ等の外部記憶媒体に保存した後、当該外部記憶媒体を電子情報端末と接続することで電子情報端末内に画像データを取り込む場合もある。
【０００７】
このように、電子情報端末と画像形成装置との間では、メールや無線ＬＡＮなどのネットワークや外部記憶媒体を介して画像データを移動させる必要があり、ユーザは電子情報端末と画像形成装置との間で画像データの入出力を行なうための専用の手順を行う必要があり、操作が煩雑となっていた。
【０００８】
関連する技術として、下記の特許文献１には、スリープモード状態下で接続部に外部記憶置が接続されたとき、接続部を介して外部記憶装置の印刷データを取り込むことが記載されている。また、特許文献２には、一度の原稿の読み取りで取得した画像データを複数の外部記憶媒体に記憶させることができる画像処理装置が記載されている。また、特許文献３には、ネットワークを介して接続された複数のプリンタのうちの所望のプリンタを用いて所望の印刷設定で文書データを印刷した結果と略同一の大きさで印刷プレビューを行うことが記載されている。
【先行技術文献】
【特許文献】
【０００９】
【特許文献１】特開２０１０−７６３５３号公報
【特許文献２】特開２００８−２８５５６号公報
【特許文献３】特開２０１１−１１８５８６号公報
【発明の概要】
【発明が解決しようとする課題】
【００１０】
しかし、電子情報端末から紙へ画像を印刷する場合、電子情報端末の表示画面の解像度と、画像形成装置が出力用紙へ印刷する際の印刷解像度とが合っていないと、出力用紙の大きさに対して印刷する画像の大きさが大きくなりすぎる等、適切でない状態で出力用紙に出力（印刷）される場合があり、ユーザに対する印刷物の可読困難を発生させてしまう。
【００１１】
同様に、ユーザが紙の原稿をスキャンした画像を電子情報端末へ出力する場合、画像形成装置から電子情報端末へ出力される画像が電子情報端末の画面の表示仕様に合っていないと、画面に表示される画像が電子情報端末の画面に入りきらず、ユーザが画像全体を見るためには画面をスクロールする等の操作が必要となるため、ユーザに対して表示物の可読困難を発生させてしまう。このように、画像形成装置が、電子情報端末から読み取ったデータを紙に出力（印刷）する場合、または、紙から読み取ったデータを電子情報端末へ出力する場合には、ユーザに対する可読性を低下させてしまうという問題がある。上述の技術では、これらの問題を解決することができない。
【００１２】
そこで、本発明は、かかる課題を解決すべく、可読性を低下させずに画像を出力することのできる画像形成装置、方法およびプログラムを提供することを目的とする。
【課題を解決するための手段】
【００１３】
かかる目的を達成するため、本発明の一形態は、画像形成装置であって、電子情報端末を接続する入力インターフェースと、前記電子情報端末が前記入力インターフェースへ接続されたことを検知すると、前記電子情報端末から画像データを読み込み、当該画像データの画素数と、前記電子情報端末の表示画面の解像度と、を取得する制御手段と、前記画素数と前記解像度とから算出される画像のサイズが、当該画像を印刷する出力用紙のサイズより小さい所定のサイズとなるように印刷する際の解像度と画素数を変換するデータ変換手段と、当該変換後の画像データを前記出力用紙に印刷する画像出力手段と、を備える。
【００１４】
また、本発明は、電子情報端末を接続する入力インターフェースを備える画像形成装置に、前記電子情報端末が前記入力インターフェースへ接続されたことを検知すると、前記電子情報端末から画像データを読み込み、当該画像データの画素数と、前記電子情報端末の表示画面の解像度と、を取得する制御ステップと、前記画素数と前記解像度とから算出される画像のサイズが、当該画像を印刷する出力用紙のサイズより小さい所定のサイズとなるように印刷する際の解像度と画素数を変換するデータ変換ステップと、当該変換後の画像データを前記出力用紙に印刷する画像出力ステップと、を実行させる画像形成プログラムを提供する。
【００１５】
また、本発明は、電子情報端末を接続する入力インターフェースを備える画像形成装置が、前記電子情報端末が前記入力インターフェースへ接続されたことを検知すると、前記電子情報端末から画像データを読み込み、当該画像データの画素数と、前記電子情報端末の表示画面の解像度と、を取得し、前記画素数と前記解像度とから算出される画像のサイズが、当該画像を印刷する出力用紙のサイズより小さい所定のサイズとなるように印刷する際の解像度と画素数を変換し、当該変換後の画像データを前記出力用紙に印刷する画像形成方法を提供する。
【発明の効果】
【００１６】
本発明は、可読性を低下させずに画像を出力することのできる画像形成装置、方法およびプログラムを提供する。
【図面の簡単な説明】
【００１７】
【図１】画像形成装置の構成の一例を示すブロック図である。
【図２】画像形成装置の動作の一例を示す図である。
【図３】画像形成装置の動作の一例を示す図である。
【図４】画像形成装置の動作の一例を示す図である。
【図５】画像形成装置の動作の一例を示す図である。
【図６】操作表示部の表示する画面の一例である。
【図７】操作表示部の表示する画面の一例である。
【図８】操作表示部の表示する画面の一例である。
【図９】電子情報端末の画面に表示される文字列データの一例である。
【図１０】画像形成装置の構成の一例を示すブロック図である。
【発明を実施するための形態】
【００１８】
以下、本発明の実施の形態について、図面を用いて説明する。すべての図面において、同様な構成要素には同様の符号を付し、適宜説明を省略する。
【００１９】
なお、各実施形態の装置等を構成する各部は、論理回路等のハードウェアで構成される。また、各部は、コンピュータの制御部、メモリ、メモリにロードされたプログラム、プログラムを格納するハードディスク等の記憶ユニット、ネットワーク接続用インターフェースなどからなる。各部は、ハードウェアとソフトウェアの任意の組合せによって実現される。特に断りのない限り、その実現方法、装置、態様は限定されない。
【００２０】
また、制御部はＣＰＵ（Central Processing Unit）などからなり、ＯＳ（Operating system）を動作させて装置等の全体を制御するとともに、例えばドライブ装置などに装着された記録媒体からメモリにプログラムやデータを読み出し、これに従って各種の処理を実行する。記録媒体は、例えば光ディスク、フレキシブルディスク、磁気光ディスク、外付けハードディスク、半導体メモリ等であって、コンピュータプログラムをコンピュータが読み取り可能に記録する。また、コンピュータプログラムは、通信網に接続されている図示しない外部コンピュータからダウンロードされても良い。
【００２１】
また、各実施形態の説明において利用するブロック図は、ハードウェア単位の構成ではなく、機能単位のブロックを示している。これらの機能ブロックはハードウェア、ソフトウェアの任意の組み合わせによって実現される。また、これらの図においては、各実施形態の構成部は物理的に結合した一つの装置により実現されるよう記載されている場合もあるが、その実現手段はこれに限定されない。すなわち、二つ以上の物理的に分離した装置を有線または無線で接続し、これら複数の装置により、各実施形態のシステムを実現してもよい。あるいは逆に、構成部が二つ以上の物理的に分離した装置として記載されている場合もあるが、それらの構成部は物理的に結合した一つの装置により実現されても良い。
【００２２】
＜実施形態１＞
［構成］
図１に本実施の形態の画像形成装置１の構成の一例を示す。画像形成装置１は、制御部１０１、ＲＯＭ（Read Only Memory）１０２、ＲＡＭ（Random Access Memory）１０３、画像読取部１０４、画像出力部１０５、操作表示部１０６、データ変換部１０７、最適データ判断部１０８、像域分離部１０９、電子情報端末入力用インターフェース１１０、電子情報端末出力用インターフェース１１１を備える。
【００２３】
制御部１０１はＣＰＵ（Central Processing Unit）等である。制御部１０１はＲＯＭ１０２に格納されている、画像形成装置１の起動処理やコピー等の基本動作を行うプログラム、データ変換部１０７が動作を行うためのプログラム、最適データ判断部１０８が動作するためのプログラム等をＲＡＭ１０３に展開して実行する。
【００２４】
画像読取部１０４は自動原稿読取装置（ＡＤＦ（Auto Document Feeder））やブックスキャナ（ＢＳ（Book Scanner））等で構成されており、読み取られた画像データはＲＡＭ１０３に格納される。
【００２５】
画像出力部１０５はプリンタ機能を備え、ＲＡＭ１０３に格納されている画像データを紙等の媒体に印刷出力する。画像出力部１０５は、画像を印刷する際、制御部１０１等から指定された画素数、解像度、色数等に従って画像を紙に印刷する。
【００２６】
操作表示部１０６は各種ユーザインターフェース操作や表示を行うためのタッチパネルやキー等から構成される。ユーザは、操作表示部１０６を操作することにより、画像形成装置１で行う各種動作の選択、スキャンや印刷などの入出力に関する情報の表示、入出力先として指定する電子情報端末の選択等ができる。
【００２７】
データ変換部１０７は電子情報端末の画像データを紙等に印刷する際に、電子情報端末のデータを印刷用の画像データに変換する。また、データ変換部１０７は、画像読取部１０４が原稿等から読み取ったデータを電子情報端末に出力する際に、画像データの解像度、画素数、色数などを変換する。また、データ変換部１０７は、制御部１０１が電子情報端末から取得した画像データを出力用紙に出力（印刷）する際に、画像データの解像度、画素数、色数などを変換する。
【００２８】
最適データ判断部１０８は電子情報端末の画像データを紙に出力する際に、既存の方法によって出力用紙サイズに合う画像データの解像度、画素数、色数を判断する機能を有する。また、最適データ判断部１０８は、画像読取部１０４が原稿等から読み取った画像データを電子情報端末に出力する際に、電子情報端末の画面の表示仕様を基に、出力に合う解像度、画素数、色数を判断する機能を有する。これらの具体例は後述する。
【００２９】
像域分離部１０９はＲＡＭ１０３に格納されている画像データが、文字列データと文字列以外データの両方を含むデータである場合に、データの特徴量を基に、画像データを文字列データ部と文字列以外データ部に分ける。詳細動作は後述する。
【００３０】
電子情報端末入力用インターフェース１１０、電子情報端末出力用インターフェース１１１は、それぞれ電子情報端末（入力用）１５１と電子情報端末（出力用）１５２のインターフェースである。これらのインターフェースは、例えば、ＵＳＢ、無線ＬＡＮ、有線ＬＡＮや各種電子情報端末の独自インターフェースなどの一般的に利用されているインターフェースである。制御部１０１は、電子情報端末とこれらのインターフェースとが接続された場合に、接続を検知する。なお、インターフェースが有線接続でない場合には、画像形成装置１の図示しない検知部が、画像形成装置１と電子情報端末とが所定距離以内にあることを既存の技術によって検知し、電子情報端末と画像形成装置１とが接続されたと認識して、その旨を制御部１０１に通知しても良い。
【００３１】
電子情報端末（入力用）１５１と電子情報端末（出力用）１５２は、それぞれ、画像形成装置１へ画像データを入力するための電子情報端末、画像形成装置１から画像データを出力するための電子情報端末である。電子情報端末（入力用）１５１と電子情報端末（出力用）１５２は、例えば、電子書籍端末、携帯電話端末、ＵＳＢメモリ、ＳＤ（Secure Digital）カード、パーソナルコンピュータ、携帯型カーナビゲーション端末、ゲーム機端末などである。これらは、それぞれ電子情報端末入力用インターフェース１１０と電子情報端末出力用インターフェース１１１を介して画像形成装置１と接続されることで、画像形成装置１と画像データのやり取りを行う。この際、画像データは、例えば、ＵＳＢマスストレージクラス、ファイル共有プロトコルなどに基づいてやり取りされる。電子情報端末からの入力データ形式は、例えば、ＰＤＦ（Portable Document Format）、テキスト、ＨＴＭＬ（HyperText Markup Language）、ＥＰＵＢ（イーパブ）、ＥＰＷＩＮＧ（イーピーウィング）などである。なお、電子情報端末（入力用）１５１と電子情報端末（出力用）１５２をあわせて、単に電子情報端末と呼ぶ場合もある。
【００３２】
［動作］
次に、電子情報端末（入力用）１５１の画像データを紙に出力（印刷）する場合の動作（第１動作）、及び、紙の原稿から取得した画像データを電子情報端末（出力用）１５２に出力する場合の動作（第２動作）について説明する。
【００３３】
［第１動作］
まず、図２を参照して、電子情報端末（入力用）１５１の画像データを紙に出力する場合の動作について詳細に説明する。
【００３４】
電子情報端末（入力用）１５１が電子情報端末入力用インターフェース１１０に接続されると、制御部１０１が電子情報端末（入力用）１５１の接続を認識する（ステップＳ２０１）。
【００３５】
電子情報端末（入力用）１５１の接続を検知すると、次に、制御部１０１は、電子情報端末の表示画面の解像度、及び、表示画面に表示されている画像データの画素数の情報を取得してＲＡＭ１０３へ格納する（ステップＳ２０２）。制御部１０１は、さらに表示画面に表示されている画像データの色数を取得しても良い。制御部１０１が解像度、画素数、色数の情報を取得する方法には例えば以下の方法がある。例えば、制御部１０１は、電子情報端末入力用インターフェース１１０を介して、電子情報端末（入力用）１５１から、当該電子情報端末に設定されている解像度や画像データの画素数、色数の情報を取得しても良い。また、管理者等は予め画像形成装置１内部あるいは外部の記憶部等に電子情報端末（入力用）１５１の情報を保存しておき、制御部１０１が電子情報端末（入力用）を検出したときに、制御部１０１が当該電子情報端末（入力用）１５１の解像度を当該記億部等から取得しても良い。
【００３６】
次に、操作表示部１０６は、図６に示すような画像取り込み元選択画面５０１を表示する。画像取り込み元選択画面５０１は、画像の取り込み元となる電子情報端末や原稿用紙等を選択するための画面である。図６の例では、ＢＳ５０２と、ＡＤＦ５０３と、電子情報端末５０４が表示されている。ＢＳ５０２、ＡＤＦ５０３が選択された場合には、紙の原稿から画像データが取り込まれ、電子情報端末５０４が選択された場合には、電子情報端末（入力用）１５１から画像データが取り込まれる。
【００３７】
次に、ユーザによって操作表示部１０６が操作され、図６に示すような画像取り込み元選択画面５０１から、画像取り込み元が選択される（ステップＳ２０３）。ここで、画像取り込み元としてＢＳ５０２やＡＤＦ５０３が選択された場合には、以降のステップにおいて、画像読取部１０４が紙の原稿等から画像を取り込む。一方、電子情報端末５０４が選択された場合には、電子情報端末入力用インターフェース１１０を介して電子情報端末（入力用）１５１から画像形成装置１に画像データが取り込まれる。ここでは、電子情報端末（入力用）１５１の保持する画像データを紙に出力する場合の動作について説明するため、電子情報端末５０４が選択されたとする。
【００３８】
なお、ステップＳ２０２の処理は、ステップＳ２０３において画像取り込み元として電子情報端末５０４が選択された場合に、ステップＳ２０３の後に行われても良い。
【００３９】
次に、ステップＳ２０３において、電子情報端末５０４が選択された場合、図８に示すような電子情報端末（入力用）１５１のフォルダ選択画面７０１が操作表示部１０６に表示される。ここでは、フォルダ７０２〜７０４の中から選択されたフォルダ（ここではフォルダ１が選択されている）内にあるデータ７０５〜データ７０７が表示されている。ユーザは、画像形成装置１に取り込む画像データをデータ７０５〜７０７の中から選択する（ステップＳ２０４）。
【００４０】
なお、図６、図８に示す画像取り込み元選択画面５０１、フォルダ選択画面７０１に示したデータの表示方法や選択方法等は一例であり、ここに記載した例に限定されるものではない。
【００４１】
次に、制御部１０１は、ステップＳ２０４において選択された画像データを、電子情報端末入力用インターフェース１１０を介して電子情報端末（入力用）１５１から取り込んでＲＡＭ１０３へ格納する（ステップＳ２０５）。
【００４２】
次に、データ変換部１０７は、ＲＡＭ１０３に格納されている画像データを既存の方法で印刷用の画像データに変換する。次に、制御部１０１は、電子情報端末（入力用）１５１の表示画面の解像度と、画像データの画素数を取得する。紙に印刷される画像データのサイズ（画像の大きさ）はこれらの値によって算出される。そこで、データ変換部１０７は、紙に印刷する画像の大きさが、画像を印刷する出力用紙のサイズより小さい所定のサイズとなるように既存の方法で解像度、画素数を変換する（ステップＳ２０６）。データ変換部１０７は、例えば、画像の大きさを、当該画像が印刷される用紙サイズの大きさ（あるいは用紙サイズの上下左右等から所定のマージ分を控除した大きさ）となるような解像度、画素数の画像データに変換しても良い。また、データ変換部１０７は、出力用紙のサイズに応じた所定の解像度、画素数を記憶する記憶部を参照して、画像データの解像度、画素数を、出力用紙のサイズに応じた解像度と画素数に変換しても良い。また、データ変換部１０７は、電子情報端末（入力用）１５１から色数も取得している場合には、当該色数を、画像形成装置１が対応可能な色数となるように調整しても良い。データ変換部１０７は、変換した画像データをＲＡＭ１０３へ格納する。
【００４３】
次に、ユーザが操作表示部１０６を使用して画像形成装置１に画像データの編集処理（Ｎin１・拡大縮小・回転など）を行わせた場合（ステップＳ２０７、Ｙｅｓ）、制御部１０１はＲＡＭ１０３に格納されている画像データに対して、指定された編集処理を行う（ステップＳ２０８）。編集処理を行わせない場合（ステップＳ２０７、Ｎｏ）には、処理はステップＳ２０９へ進む。
【００４４】
最後に、画像出力部１０５は、排紙トレイ内の用紙に、ＲＡＭ１０３に格納されている画像データを印刷出力する（ステップＳ２０９）。
【００４５】
［第２動作］
次に、図３、図４を参照して、紙の原稿から取得した画像データを電子情報端末（出力用）１５２に出力する場合の動作について詳細に説明する。
【００４６】
まず、電子情報端末（出力用）１５２が電子情報端末出力用インターフェース１１１に接続されると、制御部１０１は電子情報端末（出力用）１５２の接続を認識し（ステップＳ３０１）、電子情報端末の表示画面の解像度、表示画面に表示可能な総画素数（以下、単に画素数）の情報を電子情報端末等（出力用）１５２から取得してＲＡＭ１０３へ格納する（ステップＳ３０２）。制御部１０１は電子情報端末（出力用）１５２の色数の情報をさらに取得しても良い。制御部１は、これらの情報を、電子情報端末出力用インターフェース１１１を介して電子情報端末（出力用）１５２から取得しても良いし、これらの情報を予め格納した画像形成装置１内部あるいは外部の記憶部からこれらの情報を取得しても良い。
【００４７】
次に、操作表示部１０６は、図７に示すような画像出力先選択画面６０１を表示する。画像出力先選択画面６０１は、画像形成装置１が取り込んだ画像を出力する対象となる出力用紙（の格納場所）や電子情報端末等を選択する画面である。
【００４８】
操作表示部１０６はユーザによって操作され、図７に示すような画像出力先選択画面６０１から、画像の出力先が選択される（例えば排紙トレイ１段目６０２や電子情報端末６０４が選択される）（ステップＳ３０３）。ここで、画像出力先として排紙トレイ１段目６０２や排紙トレイ２段目６０３が選択された場合には、以降のステップにおいて、画像出力部１０５によって排紙トレイ中の出力用紙に画像が出力（印刷）される。一方、電子情報端末６０４が選択された場合には、電子情報端末出力用インターフェース１１１を介して画像形成装置１から電子情報端末（出力用）１５２に画像データが出力される。ここでは、電子情報端末（出力用）１５２に画像データを出力する場合の動作について説明するため、電子情報端末６０４が選択されたとする。
【００４９】
なお、図７に示す画像出力先選択画面６０１に示した選択画面は一例であり、ここに記載した例に限定されるものではない。また、ステップＳ３０２の処理は、ステップＳ３０３で電子情報端末６０４が選択された場合に、ステップＳ３０３の後に行われても良い
次に、ステップＳ３０３において電子情報端末６０４が選択された場合、図８に示すような電子情報端末（出力用）１５２のフォルダ選択画面７０１が表示される。ここでは、フォルダ７０２〜７０４の中から選択されたフォルダ（ここではフォルダ１が選択されている）内にあるデータ７０５〜７０７が表示されている。ユーザは、画像データを出力する出力先のフォルダをフォルダ７０２〜７０４の中から選択する（ステップＳ３０４）。なお、説明の簡便化のため、図８は、上述の電子情報端末（入力用）１５１のフォルダ選択画面と、電子情報端末（出力用）１５２のフォルダ選択画面とを兼ねているが、これらのフォルダ選択画面は同一のものである必要はない。
【００５０】
次に画像読取部１０４は原稿の画像データをスキャンしてＲＡＭ１０３へ格納する（ステップＳ３０５）。
【００５１】
次にユーザが操作表示部１０６を使用して画像形成装置１に編集処理（Nin1、拡大縮小、回転など）を行わせた場合、（ステップＳ３０６、Ｙｅｓ）、制御部１０１はＲＡＭ１０３に格納されている画像データに対して、指定された編集処理を行い編集した画像データをＲＡＭ１０３へ格納する（ステップＳ３０７）。
【００５２】
次に像域分離部１０９は、ＲＡＭ１０３に格納している画像データを、文字列データ部と文字列以外データ部に分離し、文字列データ部に対してはＲＯＭ１０２からＲＡＭ１０３に展開したＯＣＲ（Optical Character Reader）プログラムを使用して、文字コードの抽出を行い、文字列データと文字列以外データの情報をＲＡＭ１０３に格納する（図４、ステップＳ３０８）。
【００５３】
次に最適データ判断部１０８は、電子情報端末出力用インターフェース１１１に接続された電子情報端末（出力用）１５２に適した解像度、画素数、色数のデータ変換方法を判断して、ＲＡＭ１０３へその変換情報を格納する（ステップＳ３０９）。当該ステップＳ３０９の詳細は図５を用いて後述する。
【００５４】
最後にＲＡＭ１０３へ格納している変換情報を基に、データ変換部１０７が画像データを変換して情報電子端末（出力用）１５２に出力する画像データを生成し、制御部１０１は電子情報端末出力用インターフェース１１１から電子情報端末（出力用）１５２へ当該画像データを出力送信する（ステップＳ３１０）。
【００５５】
次に、図４のステップＳ３０９の詳細について図５を用いて説明する。
【００５６】
最適データ判断部１０８は、上述のステップＳ３０８でＲＡＭ１０３へ格納された情報を基に、ＲＡＭ１０３に格納されている画像データが文字列データか文字列以外データかを判定し、どちらのデータであるか判断する（ステップＳ４０１）。
【００５７】
画像データが文字列以外データの場合（ステップＳ４０１、Ｎｏ）、ステップＳ３０２で取得した電子情報端末（出力用）１５２の表示画面の解像度よりも、ＲＡＭ１０３に格納されている画像データの解像度のほうが大きければ（ステップＳ４０２、Ｎｏ）、データ変換部１０７は、ＲＡＭ１０３に格納されている画像データの解像度を電子情報端末（出力用）１５２の表示画面の解像度に合わせるように解像度変換を行う（ステップＳ４０３）。一方、ステップＳ３０２で取得した電子情報端末（出力用）１５２の表示画面の解像度よりも、ＲＡＭ１０３に格納されている画像データの解像度のほうが小さければ（ステップＳ４０２、Ｙｅｓ）、処理はステップＳ４０４に進む。
【００５８】
次に、ステップＳ３０２で取得した電子情報端末（出力用）１５２の表示画面の画素数よりも、ＲＡＭ１０３に格納された画像データの画素数のほうが大きければ（ステップＳ４０４、Ｎｏ）、データ変換部１０７は、ＲＡＭ１０３に格納されている画像データの画素数を電子情報端末（出力用）１５２の表示画素数に合わせるように変換する（ステップＳ４０５）。一方、ステップＳ３０２で取得した電子情報端末（出力用）１５２の画素数よりも、ＲＡＭ１０３に格納されている画像データの画素数のほうが小さければ（ステップＳ４０４、Ｙｅｓ）、処理はステップＳ４０６に進む。
【００５９】
次に、ステップＳ３０２で取得した電子情報端末（出力用）１５２の色数よりも、ＲＡＭ１０３に格納された画像データの色数のほうが大きければ（ステップＳ４０６、Ｎｏ）、データ変換部１０７は、ＲＡＭ１０３に格納された画像データの色数を電子情報端末（出力用）１５２の色数に合うように変換する（ステップＳ４０７）。一方、ステップＳ３０２で取得した電子情報端末（出力用）１５２の色数よりも、ＲＡＭ１０３に格納されている画像データの色数のほうが小さければ（ステップＳ４０６、Ｙｅｓ）、処理は終了する。以上のように、データ変換部１０７は、ＲＡＭ１０３に格納された画像データの解像度、画素数、色数が、電子情報端末（出力用）１５２の表示画面の解像度、画素数、色数以下の値となるように変換する。
【００６０】
一方、読み込んだ画像データが文字列データの場合（ステップＳ４０１、Ｙｅｓ）、ステップＳ３０２において取得した電子情報端末（出力用）１５２の画面の表示画素数とＲＡＭ１０３に格納された画像データの画素数とを比較して、ＲＡＭ１０３に格納している画像データの画素数のほうが大きければ（ステップＳ４０８、Ｎｏ）、データ変換部１０７は、電子情報端末（出力用）１５２の画面の表示画素数に合わせて文字列データの改行を行う（ステップＳ４０９）。すなわち、データ変換部１０７は、画面の表示画素数よりも、原稿から取り込んだ文字列データの画素数の方が大きいために、図９に示すように画面内に入りきらずにはみ出る文字列部分を既存の方法によって検出し、当該部分の改行を行なった文字列データを生成する。このような改行がなされることにより、文字列が横方向（縦方向）であれば、ユーザは電子情報端末（出力用）１５２の画面を横方向（縦方向）にスクロールせずとも、文字列を読むことができるようになる。
【００６１】
なお、文字列データと文字列以外データの両方のデータがともに存在する場合は、データ変換部１０７は、上述した文字列データのデータ変換と文字列以外データのデータ変換の両方を行っても良い。
【００６２】
以上、電子情報端末の画像データを紙に出力する場合の動作（第１動作）と、紙の原稿から取得した画像データを電子情報端末に出力する場合の動作（第２動作）について説明したが、第１動作の前半部分によって、画像形成装置１は電子情報端末の画像データを取り込み、第２動作の後半部分によって、画像形成装置１は、取り込んだ画像データを電子情報端末に出力することも可能である。また、画像形成装置１は、既存の方法によって紙の原稿から取得した画像データを紙に出力することも可能である。
【００６３】
したがって、本実施の形態によれば、ユーザが紙あるいは電子情報端末からデータを入力し、紙あるいは電子情報端末へのデータの出力を実行する場合に、紙や電子情報端末それぞれの入出力先を意識して、それ専用の操作手順を行わなくても済む。その理由は、画像形成装置１が電子情報端末のインターフェースを備えることにより、電子情報端末を当該インターフェースに接続するだけで電子情報端末とデータのやり取りを行なうことができ、通常の紙から紙への複写と同様の手順で印刷を行なうことができるからである。
【００６４】
また、電子情報端末のデータを紙に出力する場合、用紙サイズに対してイメージデータが最適なサイズとならずに紙に出力されてしまい、また紙の原稿データを電子情報端末へ出力する場合においても電子情報端末の画面に最適なサイズのデータとならずに出力されてしまうことがあるが、本実施の形態の画像形成装置１はイメージデータの解像度、画素数を出力先に合わせて変換するため、可読性を低下させずにデータを出力することができ、このような問題が解決される。すなわち、電子情報端末から紙へデータを出力する場合、電子情報端末の解像度と画像形成装置１が印刷する際の用紙の解像度があっていないため、用紙のサイズに対して画像の大きさが適切でない状態で印刷されてしまい、ユーザが読みづらくなるという問題を解決することができる。また、画像形成装置等が紙の原稿をスキャンして電子情報端末へ出力する場合、画像形成装置１から電子情報端末へ出力されるデータは電子情報端末の表示仕様に合っていないため、電子情報端末の画面表示幅に入りきらない場合があるという問題を解決することができる。
【００６５】
＜実施形態２＞
次に、本発明の第２の実施の形態について図１０を用いて説明する。
【００６６】
本実施の形態の画像形成装置１は、電子情報端末を接続する電子情報端末入力用インターフェース１１０と、制御部１０１と、データ変換部１０７と、画像出力部１０５とを備える。
【００６７】
電子情報端末入力用インターフェース１１０は、電子情報端末を接続可能なインターフェースである。当該インターフェースは、例えば、ＵＳＢ等の一般的に利用されているインターフェースである。
【００６８】
制御部１０１は、電子情報端末入力用インターフェース１１０へ電子情報端末が接続されたことを検知すると、接続された電子情報端末から画像データを読み込むとともに、電子情報端末の画面の解像度、画像データの画素数を取得する。制御部１０１は、これらの情報を、電子情報端末出力用インターフェース１１１を介して電子情報端末から直接取得しても良いし、これらの情報を予め格納した画像形成装置１内部あるいは外部の記憶部からこれらの情報を取得しても良い。
【００６９】
データ変換部１０７は、前記画素数と前記解像度とから算出される画像のサイズが、画像データを印刷する出力用紙のサイズより小さい所定のサイズとなるように、解像度、画素数を変換する。所定のサイズとは、出力用紙の大きさとほぼ同程度の大きさでも良いし、出力用紙の上下左右等から所定のマージ分を控除した大きさでも良い。
【００７０】
画像出力部１０５は、当該変換後の画像データを出力用紙に印刷出力する。
【００７１】
このような構成によれば、画像形成装置１は画像データを変換するため、可読性を低下させずに画像データを出力することができる。
【００７２】
以上、実施形態を参照して本願発明を説明したが、本願発明は上記実施形態に限定されるものではない。本願発明の構成や詳細には、本願発明のスコープ内で当業者が理解しうる様々な変更をすることができる。
【符号の説明】
【００７３】
１０１    制御部
１０４    画像読取部
１０５    画像出力部
１０６    操作表示部
１０７    データ変換部
１０８    最適データ判断部
１０９    像域分離部
１１０    電子情報端末入力用インターフェース
１１１    電子情報端末出力用インターフェース
１５１    電子情報端末（入力用）
１５２    電子情報端末（出力用）
【図１】
2013197970.tif 000003
【図２】
2013197970.tif 000004
【図３】
2013197970.tif 000005
【図４】
2013197970.tif 000006
【図５】
2013197970.tif 000007
【図６】
2013197970.tif 000008
【図７】
2013197970.tif 000009
【図８】
2013197970.tif 000010
【図９】
2013197970.tif 000011
【図１０】
2013197970.tif 000012